(57)【要約】  本発明にかかる分析装置１は、第１の検体と第１の検体と異なる分析時間を要する第２の検体を分析する分析装置において、所定の第１の検体に対する処理タイミングと所定の第１の検体の次に処理される第１の検体に対する処理タイミングとの間に第１の検体に対する処理を行わない空白期間を設け、第２の検体の分析が必要である場合に第１の検体に対する各処理を追い越して空白期間時に第２の検体に対する処理を行うことを特徴とする。
2008050396.tif 000002
【特許請求の範囲】
【請求項１】
第１の検体と前記第１の検体と異なる分析時間を要する第２の検体を分析する分析装置において、
所定の前記第１の検体に対する処理タイミングと前記所定の第１の検体の次に処理される前記第１の検体に対する処理タイミングとの間に前記第１の検体に対する処理を行わない空白期間を設け、前記第２の検体の分析が必要である場合に前記第１の検体に対する各処理を追い越して前記空白期間時に前記第２の検体に対する処理を行うことを特徴とする分析装置。
【請求項２】
当該分析装置を構成する各機構の処理タイミングを制御する制御手段を備え、
前記制御手段は、前記機構における前記第１の検体に対する処理タイミングを制御して前記空白期間を生成することを特徴とする請求項１に記載の分析装置。
【請求項３】
前記制御手段は、前記所定の第１の検体の次に処理される第１の検体に対する分析開始タイミングを遅らせて前記空白期間を生成することを特徴とする請求項２に記載の分析装置。
【請求項４】
前記制御手段は、予め求められた各第１の検体の分析時間と各第２の検体の分析時間とにそれぞれ応じた前記空白期間の生成タイミングパターン群の中から、分析を行なう前記第１の検体および前記第２の検体に対応した前記空白期間の生成タイミングパターンを選択し、該選択した空白期間の生成タイミングパターンにしたがって前記空白期間を生成することを特徴とする請求項２に記載の分析装置。
【請求項５】
前記第２の検体を処理する前記機構が前記空白期間に達するタイミングに合わせて、前記第２の検体を処理する機構に前記第２の検体または前記第２の検体と試薬との反応液を移送する移送機構を備えたことを特徴とする請求項２に記載の分析装置。
【請求項６】
前記移送機構は、液体を所定タイミングで所定位置に移送するアーム状の移送機構であることを特徴とする請求項５に記載の分析装置。
【請求項７】
前記第２の検体を処理する機構が前記空白期間に達するまでの間、前記第２の検体または前記第２の検体と試薬との反応液を待機させる待機テーブルを備え、
前記アーム状の移送機構は、前記第２の検体に対する処理を行う機構が前記空白期間に達するタイミングに合わせて前記待機テーブルに待機する前記第２の検体または前記第２の検体と試薬との反応液を前記第２の検体を処理する機構に移送することを特徴とする請求項６に記載の分析装置。
【請求項８】
前記移送機構は、液体を収納して所定タイミングで所定位置に移送するテーブル状の移送機構であることを特徴とする請求項５に記載の分析装置。
【発明の詳細な説明】
【技術分野】
【０００１】
この発明は、第１の検体と前記第１の検体と異なる分析時間を要する第２の検体を分析する分析装置に関するものである。
【背景技術】
【０００２】
自動分析装置は、多数の検体に対する分析処理を同時に行い、さらに、多成分を迅速に、かつ、高精度で分析できるため、免疫学検査、生化学検査、輸血検査などさまざまな分野での検査に用いられている。たとえば、免疫学検査を行う分析装置は、反応容器内で検体と試薬とを反応させる反応機構、反応容器内の未反応物質を除去する除去機構、各試薬と検体との反応液から生じる光を測定する測定機構をそれぞれ複数のターンテーブル上に配置し、さらに検体、試薬および反応液を移送する複数の分注移送機構を備え、各機構の処理タイミングをそれぞれ制御することによって様々な分析内容の免疫学検査を行っている（たとえば特許文献１参照）。【０００３】
【特許文献１】特開２００５−１６４５０８号公報
【発明の開示】
【発明が解決しようとする課題】
【０００４】
ところで、測定機構においては、測定処理を１サイクルに１回しか行えない場合がある。このため、従来においては、分析時間が長い複数の検査項目が指示された検体Ａに対して連続して分析を開始した後に分析時間が短い検査項目を指示された検体Ｂに対して分析を開始した場合、測定機構の測定処理のタイミングを重複させないため、検体Ａのすべての検査項目に対応する測定処理が全て終了した後でないと検体Ｂの測定処理を行うことができなかった。言い換えると、分析時間が長い検体Ａに対する全ての測定処理が終了するまで、分析時間が短い検体Ｂの測定処理を待機させる必要があった。さらに、分析時間が長い検体Ａの数量が多いほど、または、検体Ａの分析項目が多ければ多いほど、検体Ｂの待機時間が長くなっていた。【０００５】
このように、従来の分析装置においては、本来であれば短時間で得ることができる検体Ｂの分析結果を検体Ａの分析を全て終了した後でなければ得ることができず、検体Ｂの分析結果を迅速に得ることができないという問題があった。特に、分析時間が短い検体Ｂは、緊急に結果を得たい救急用検体である場合が多く、従来においては、この検体Ｂの分析結果を迅速に得ることができないため救急医療現場での障害となる場合があった。
【０００６】
本発明は、上記した従来技術の欠点に鑑みてなされたものであり、他の検体に対する分析処理が行われている場合であっても、緊急に結果を得たい検体の分析処理を迅速に行うことができる分析装置を提供することを目的とする。
【課題を解決するための手段】
【０００７】
上述した課題を解決し、目的を達成するために、本発明にかかる分析装置は、第１の検体と前記第１の検体と異なる分析時間を要する第２の検体を分析する分析装置において、所定の前記第１の検体に対する処理タイミングと前記所定の第１の検体の次に処理される前記第１の検体に対する処理タイミングとの間に前記第１の検体に対する処理を行わない空白期間を設け、前記第２の検体の分析が必要である場合に前記第１の検体に対する各処理を追い越して前記空白期間時に前記第２の検体に対する処理を行うことを特徴とする。【０００８】
また、本発明にかかる分析装置は、当該分析装置を構成する各機構の処理タイミングを制御する制御手段を備え、前記制御手段は、前記機構における前記第１の検体に対する処理タイミングを制御して前記空白期間を生成することを特徴とする。【０００９】
また、本発明にかかる分析装置は、前記制御手段は、前記所定の第１の検体の次に処理される第１の検体に対する分析開始タイミングを遅らせて前記空白期間を生成することを特徴とする。【００１０】
また、本発明にかかる分析装置は、前記制御手段は、予め求められた各第１の検体の分析時間と各第２の検体の分析時間とにそれぞれ応じた前記空白期間の生成タイミングパターン群の中から、分析を行なう前記第１の検体および前記第２の検体に対応した前記空白期間の生成タイミングパターンを選択し、該選択した空白期間の生成タイミングパターンにしたがって前記空白期間を生成することを特徴とする。【００１１】
また、本発明にかかる分析装置は、前記第２の検体を処理する前記機構が前記空白期間に達するタイミングに合わせて、前記第２の検体を処理する機構に前記第２の検体または前記第２の検体と試薬との反応液を移送する移送機構を備えたことを特徴とする。【００１２】
また、本発明にかかる分析装置は、前記移送機構は、液体を所定タイミングで所定位置に移送するアーム状の移送機構であることを特徴とする。【００１３】
また、本発明にかかる分析装置は、前記第２の検体を処理する機構が前記空白期間に達するまでの間、前記第２の検体または前記第２の検体と試薬との反応液を待機させる待機テーブルを備え、前記アーム状の移送機構は、前記第２の検体に対する処理を行う機構が前記空白期間に達するタイミングに合わせて前記待機テーブルに待機する前記第２の検体または前記第２の検体と試薬との反応液を前記第２の検体を処理する機構に移送することを特徴とする。【００１４】
また、本発明にかかる分析装置は、前記移送機構は、液体を収納して所定タイミングで所定位置に移送するテーブル状の移送機構であることを特徴とする。
【発明の効果】
【００１５】
本発明によれば、所定の第１の検体に対する処理タイミングと所定の第１の検体の次に処理される第１の検体に対する処理タイミングとの間に第１の検体に対する処理を行わない空白期間を設け、第２の検体の分析が必要である場合に第１の検体に対する各処理を追い越して空白期間時に第２の検体に対する処理を行うため、他の検体である第１の検体に対する分析処理が行われている場合であっても、緊急に結果を得たい第２の検体の分析処理を迅速に行うことができる。
【図面の簡単な説明】
【００１６】
【図１】図１は、実施例にかかる分析装置の構成を示す模式図である。
【図２】図２は、図１に示す分析装置における各検体に対する測定指示、測定開始および測定処理のタイミングを説明する図である。
【図３】図３は、従来技術にかかる分析装置における各検体に対する測定指示、測定開始および測定処理のタイミングを説明する図である。
【図４】図４は、図１に示す分析装置図における各検体に対する測定指示、測定開始および測定処理の他のタイミングを説明する図である。
【図５】図５は、図１に示すタイミング制御部の空白サイクル生成処理を示すフローチャートである。
【図６】図６は、実施例にかかる分析装置の構成を示す模式図である。
【図７】図７は、図６に示す分析装置における分析工程を説明する図である。
【図８】図８は、図６に示す検体移送部、検体分注移送機構およびＢＦテーブルの動作を説明する図である。
【図９】図９は、各サイクル時に図７に示す各工程で処理される検体を説明する図である。
【図１０】図１０は、図６に示す免疫反応テーブル、ＢＦテーブルおよび第１キュベット移送機構の動作を説明する図である。
【図１１】図１１は、図６に示す免疫反応テーブル、ＢＦテーブルおよび第１キュベット移送機構の動作を説明する図である。
【図１２】図１２は、図６に示すＢＦテーブルの動作を説明する図である。
【図１３】図１３は、図６に示すＢＦテーブルの動作を説明する図である。
【図１４】図１４は、図６に示すＢＦテーブルの動作を説明する図である。
【図１５】図１５は、図６に示す分析装置における混在モードを説明する図である。
【図１６】図１６は、図６に示す分析装置における通常モードを説明する図である。
【符号の説明】
【００１７】
１  分析装置
２  測定機構
４  制御機構
２１  検体移送部
２１ａ  検体容器
２１ｂ  検体ラック
２１ｃ  通常レーン
２１ｄ  追い越しレーン
２２  チップ格納部
２３  検体分注移送機構
２４  免疫反応テーブル
２４ａ  外周ライン
２４ｂ  中周ライン
２４ｃ  内周ライン
２５  ＢＦテーブル
２６  第１試薬格納部
２７  第２試薬格納部
２８  第１試薬分注移送機構
２９  第２試薬分注移送機構
３０  酵素反応テーブル
３１  測光機構
３２  第１キュベット移送機構
３３  第２キュベット移送機構
３４  待機テーブル
４１  制御部
４２  タイミング制御部
４３  入力部
４４  分析部
４５  記憶部
４６  出力部
４７  送受信部
【発明を実施するための最良の形態】
【００１８】
以下、図面を参照して、この発明の実施例である分析装置について、生化学検査、輸血検査などの各分野のうち、被検血液の抗原抗体反応などの免疫学検査を行う分析装置を例に説明する。なお、この実施例によりこの発明が限定されるものではない。また、図面の記載において、同一部分には同一の符号を付している。
【実施例】
【００１９】
まず、実施例について説明する。図１は、本実施例にかかる分析装置の構成を示す模式図である。図１に示すように、実施例にかかる分析装置１は、検体と試薬との間で生じる反応を光学的に測定する測定機構２と、測定機構２を含む分析装置１全体の制御を行うとともに測定機構２における測定結果の分析を行う制御機構４とを備える。分析装置１は、これらの二つの機構が連携することによって複数の検体の免疫学的な分析を自動的に行う。分析装置１は、たとえば、分析工程が多く分析時間が長い検査項目ａを指示された検体Ａと、分析工程が少なく分析時間が短い検査項目ｂを指示された検体Ｂとに対する分析処理を同時に行っている。【００２０】
測定機構２は、各処理を行うそれぞれの機構に移送される反応容器への検体および試薬の分注処理、攪拌処理、反応容器内で検体と試薬とを反応させる反応処理、反応容器内の未反応物質を除去する除去処理などを行った後、検体と試薬とが反応した反応液を光学的に測定する。光学的測定が終了した反応容器は、そのまま廃棄される。【００２１】
制御機構４は、一または複数のコンピュータシステムを用いて実現され、反応容器内の反応を光学的に測定する測定機構２に接続する。制御機構４は、分析装置１の各処理にかかわる各種ソフトウェアを用いて、測定機構２の動作処理の制御を行うとともに測定機構２における測定結果の分析を行う。また、制御機構４は、制御部４１、入力部４３、分析部４４、記憶部４５、出力部４６および送受信部４７を備える。測定機構２および制御機構４が備えるこれらの各部は、制御部４１に電気的に接続されている。【００２２】
制御部４１は、制御機能を有するＣＰＵ等を用いて構成され、分析装置１の各構成部位の処理および動作を制御する。制御部４１は、これらの各構成部位に入出力される情報について所定の入出力制御を行い、かつ、この情報に対して所定の情報処理を行う。制御部４１は、記憶部４５が記憶するプログラムをメモリから読み出すことにより分析装置１の制御を実行する。制御部４１は、タイミング制御部４２を有する。【００２３】
入力部４３は、種々の情報を入力するためのキーボード、出力部４６を構成するディスプレイの表示画面上における任意の位置を指定するためのマウス等を用いて構成され、検体の分析に必要な諸情報や分析動作の指示情報等を外部から取得する。【００２４】
記憶部４５は、情報を磁気的に記憶するハードディスクと、分析装置１が処理を実行する際にその処理にかかわる各種プログラムをハードディスクからロードして電気的に記憶するメモリとを用いて構成され、検体の分析結果等を含む諸情報を記憶する。記憶部４５は、ＣＤ−ＲＯＭ、ＤＶＤ−ＲＯＭ、ＰＣカード等の記憶媒体に記憶された情報を読み取ることができる補助記憶装置を備えてもよい。【００２５】
出力部４６は、ディスプレイ、プリンタ、スピーカー等を用いて構成され、分析に関する諸情報を出力する。送受信部４７は、図示しない通信ネットワークを介して所定の形式にしたがった情報の送受信を行うインターフェースとしての機能を有する。【００２６】
タイミング制御部４２は、当該分析装置を構成する測定機構２の各機構の処理タイミングを分析内容に対応させて制御する。タイミング制御部４２は、所定の検体Ａに対する処理タイミングと所定の検体Ａの次に処理される検体Ａに対する処理タイミングとの間に検体Ａに対する処理を行わない空白期間を設け、検体Ｂの分析が必要である場合に検体Ａに対する各処理を追い越して空白期間時に検体Ｂに対する処理を行わせる。タイミング制御部４２は、測定機構２を構成する各機構における検体Ａに対する処理タイミングを制御して空白期間を生成する。タイミング制御部４２は、所定の検体Ａの次に処理される検体Ａに対する分析開始タイミングを遅らせて空白期間を生成する。タイミング制御部４２は、液体または液体を収容した反応容器を移送する測定機構２内の移送機構に対して、検体Ｂを処理する機構が空白期間に達するタイミングに合わせて、検体Ａを追い越して、検体Ｂまたは検体Ｂと試薬との反応液を検体Ｂを処理する機構に移送するように制御する。【００２７】
つぎに、図２を参照して、タイミング制御部４２の制御によって生成される空白期間について説明する。図２は、各検体に対する測定指示、測定開始および測定処理のタイミングを説明する図である。図２におけるサイクルは、測定機構２の各機構における処理動作の基準となる時間単位であり、測定機構２における光学的な測定処理は、１サイクルに１回行われる。【００２８】
図２においては、検体Ａ１〜Ａ７に対して検査項目ａの分析が指示された後に、検体Ｂ１に対して検体Ａ１〜Ａ７に対する検査項目ａよりも短い分析サイクルの検査項目ｂが指示された場合を例に説明する。検体Ａ１〜Ａ７おいては、測定開始から８サイクル目で測定処理が行われる検査項目ａが指示される。また、検体Ｂ１においては、測定開始から２サイクル目で測定処理が行われる検査項目ｂが指示される。たとえば、図２の欄Ｒ１に示すように、１サイクル〜７サイクルにかけて検体Ａ１〜Ａ７の測定指示が順次行なわれた後に、８サイクル目で検体Ｂ１に測定指示が行われる。【００２９】
つぎに、空白期間である空白サイクルＢｓ１〜Ｂｓ６の生成タイミングについて、各検体が分注されるキュベットを処理テーブル上の各キュベット収納室にそれぞれ配置させるキュベット配置処理を例に説明する。処理テーブルは、複数のキュベットをそれぞれ収容できる複数のキュベット収納室を有する。この処理テーブルは、回動することによって、キュベット移送手段がキュベットを移送するキュベット移送位置に、測定開始を指示された検体に対応するキュベット収納室を移送させている。処理テーブルは、たとえば１サイクルごとに回動し、各キュベット収納室を配置順にキュベット移送位置に移送させている。まず、図２の欄Ｒ２に示すように、タイミング制御部４２は、このキュベット配置処理において、各検体Ａ１〜Ａ７の各処理タイミングの間に空白サイクルＢｓ１〜Ｂｓ６を生成する。この空白サイクルＢｓ１〜Ｂｓ６は、検体Ａ１〜Ａ７に対するキュベット配置タイミングが制御されることによって所定間隔で生成される。図２の欄Ｒ２においては、２サイクルのうち１サイクルが検体Ａ１〜Ａ７の処理タイミングとして制御され、残りの１サイクルに空白サイクルＢｓ１〜Ｂｓ６が生成される。【００３０】
具体的には、タイミング制御部４２は、図２の欄Ｒ２に示すように、２サイクル目に検体Ａ１が分注されるキュベットの処理テーブルへの配置処理を行い検体Ａ１の測定を開始した後、３サイクル目ではなく４サイクル目に検体Ａ２が分注されるキュベットの処理テーブルへの配置処理を行って検体Ａ２の測定を開始し、３サイクル目に空白サイクルＢｓ１を生成する。この結果、処理テーブル上においては、検体Ａ１が分注されるキュベットが配置されたキュベット収納室と、検体Ａ２が分注されるキュベットが配置されたキュベット収納室との間に、キュベットが配置されていない空状態のキュベット収納室が位置することとなる。そして、次に測定指示をされた検体Ａ３に対しては、５サイクル目ではなく６サイクル目に検体Ａ３が分注されるキュベットの配置処理を行って測定を開始することによって、５サイクル目に空白サイクルＢｓ２を生成する。そして、検体Ａ４に対しては８サイクル目に検体Ａ４が分注されるキュベットの配置処理を行って測定を開始して７サイクル目に空白サイクルＢｓ３を生成し、検体Ａ５に対しては１０サイクル目に検体Ａ５が分注されるキュベットの配置処理を行って測定を開始して９サイクル目に空白サイクルＢｓ４を生成する。この場合、各機構においては、検体Ａ１〜Ａ７を処理するサイクルと空白サイクルとが交互に来ることとなる。言い換えると、処理テーブル上においては、検体Ａ１〜Ａ７が分注されるキュベットが配置されたキュベット収納室と、キュベットが配置されていない空状態のキュベット収納室とが交互に位置することとなる。各機構は、検体Ａ１〜Ａ７に対する処理を行わない空白サイクル時に検体Ａ１〜Ａ７以外の他の検体を処理することが可能である。【００３１】
そして、検体Ｂ１においては、検体Ａ７の測定開始サイクルである１４サイクル目の次の１５サイクル目ではなく、矢印Ｙａに示すように検体Ａ５〜検体Ａ７の測定開始処理を追い越して、９サイクル目に生成された空白サイクルＢｓ４時に検体Ｂ１が分注されるキュベットの配置処理が行なわれることによって、測定が開始される。言い換えると、８サイクル目に検体Ａ４が分注されるキュベットの配置処理が行なわれた後、９サイクル目の空白サイクルＢｓ４時に、検体Ｂ１が分注されるキュベットが、検体Ａ４が分注されるキュベットが配置されたキュベット収納室の次のキュベット収納室であり空状態であるキュベット収納室内へ配置される。このように、検体Ｂ１の測定開始処理は、検体Ａ５〜Ａ７の測定開始処理を追い越して空白サイクルＢｓ４時に割り込むことによって、測定指示をされた８サイクルの次のサイクルである９サイクル目に行われる。【００３２】
つぎに、測定処理について説明する。図２の欄Ｒ３に示すように、２サイクル目に測定開始処理が行われた検体Ａ１においては、２サイクル目から８サイクルを経た１０サイクル目に測定処理が行われる。検体Ａ２〜Ａ７は、空白サイクルＢｓ１〜Ｂｓ６をそれぞれ間に挟んで、１２サイクル目、１４サイクル目、１６サイクル目、１８サイクル目、２０サイクル目、２２サイクル目に測定処理が行われる。【００３３】
そして、検体Ｂ１においては、検体Ａ２〜検体Ａ４の測定処理を追い越して、矢印Ｙｂに示すように測定指示処理が行われた９サイクル目から２サイクルを経た１１サイクル目の空白サイクルＢｓ１時に測定処理が行われる。このように、検体Ｂ１に対する測定処理は、検体Ａ２〜Ａ４の測定処理を追い越して空白サイクルＢｓ１時に割り込むことによって、測定が指示されてから最短の分析時間で行われる。【００３４】
ここで、従来の分析装置について説明する。従来の分析装置においては、図３に示すように、１サイクル〜７サイクルにかけて検体Ａ１〜Ａ７の測定処理指示が行われ、８サイクル目で検体Ｂ１に測定指示が行われた場合、測定処理指示順のまま、検体Ａ１〜Ａ７および検体Ｂ１の順に各検体Ａ１〜Ａ７および検体Ｂ１が分注されるキュベットを順に処理テーブル上に配置して測定が開始される。この結果、本来であれば、検体Ｂ１については、矢印Ｙｃに示すように測定開始処理が行われた９サイクル目から２サイクル経過した１１サイクル目で測定処理が可能であるにもかかわらず、先に測定開始指示を受けた検体Ａ３に対する測定処理が１１サイクル目に行われ重複してしまうため、測定処理を行うことができない。そして、検体Ａ１〜Ａ７の測定処理が連続するため、検体Ｂ１が測定処理を受けるためには、矢印Ｙｄに示すように、検体Ａ１〜Ａ７の測定処理が全て終了した１６サイクル目まで待機する必要があった。さらに、この検体Ａ１〜Ａ７は、測定開始から測定終了までの時間が長く、先に測定開始指示が行われた検体数が多ければ多いほど、検体Ｂ１の待機時間が長くなってしまう。したがって、本来であれば短時間で得ることができる検体Ｂ１の分析結果を迅速に得ることができない。特に、検体Ａ１〜Ａ７と比較して測定開始から測定処理までのサイクルが短い検体Ｂ１は、緊急に結果を得たい救急用検体である場合が多く、従来においては、救急用検体である検体Ｂ１の分析結果を迅速に得ることができず救急医療現場での障害となる場合があった。【００３５】
これに対し、本実施例にかかる分析装置１は、検体Ａ１〜Ａ７に対する分析処理が先に行われていた場合であっても検体Ａ１〜Ａ７における処理タイミング間に設けられた空白サイクルＢｓ１〜Ｂｓ６に検体Ｂ１に対する各処理を割り込ませることによって、緊急に結果を得たい検体Ｂ１の分析処理を迅速に行うことが可能になる。【００３６】
なお、図２においては、２サイクルのうち１サイクルを空白サイクルとして設定した場合について説明したが、これに限らず、たとえば図４に示すように、３サイクルのうち１サイクルを空白サイクルとして設定してもよい。この場合、タイミング制御部４２は、検体Ａ１〜Ａ７に対する測定開始タイミングを遅らせて空白サイクルを生成する。具体的には、図４の欄Ｒ５に示すように、２サイクル目、３サイクル目に検体Ａ１，Ａ２の測定を開始した後、５サイクル目に検体Ａ３の測定を開始して、４サイクル目に空白サイクルＢｔ１を設けている。そして、６サイクル目に検体Ａ４の測定を開始した後に、８サイクル目に検体Ａ５の測定を開始して、７サイクル目に空白サイクルＢｔ２を設けている。さらに、９サイクル目に検体Ａ６の測定を開始した後に、１１サイクル目に検体Ａ７の測定を開始して、空白サイクルＢｔ３を設けている。【００３７】
そして、検体Ｂ１に対しては、矢印Ｙａ２に示すように、検体Ａ７の測定開始が指示される１１サイクル目の次の１２サイクル目ではなく、検体Ａ７の測定開始処理を追い越して、１０サイクル目に生成された空白サイクルＢｔ３に割り込んで測定開始が行われる。そして、欄Ｒ６に示すように、２サイクル目から８サイクルを経た１０サイクル目に検体Ａ１に対する測定処理が行われ、１１サイクル目に検体Ａ２に対する測定処理が行われる。その後、検体Ｂ１の測定処理は、検体Ａ３〜検体Ａ６の測定処理を追い越して、矢印Ｙｂ２に示すように測定指示処理が行われた１０サイクル目から２サイクルを経た１２サイクル目の空白サイクルＢｔ１時に割り込んで行われる。このように、分析対象である検体に対して行われる各分析の分析工程および各処理タイミングに対応させて、分析結果を迅速に取得すべき検体が最も早く測定処理を終了できるように空白サイクルを適時設ければよい。また、図２においては、各検体が分注される各キュベットを処理テーブル上に配置するキュベット配置処理において空白サイクルを生成した場合を例に説明したが、これに限らず、試薬分注移送処理、攪拌処理、除去処理、反応処理などの他の処理において、検体Ａ１〜Ａ７に対する処理タイミングを制御して空白サイクルを生成すれば足りる。【００３８】
なお、予め各分析項目の分析工程および処理タイミングをそれぞれ調べておき、どの分析項目が重なった場合でも同一の処理が重複しないように、各処理タイミングおよび空白サイクルの挿入タイミングのパターンを複数設定しておけばよい。タイミング制御部４２は、予め設定された複数のパターンをもとに、装置の処理能力と各検体に対する結果取得の緊急性との双方を勘案して各機構における各処理タイミングおよび空白サイクルの挿入タイミングを設定すればよい。【００３９】
具体的に、図５を参照して説明する。まず、タイミング制御部４２は、入力部４３から入力された所定の検体に対する分析開始を指示する分析指示情報を受信する（ステップＳ２）。タイミング制御部４２は、受信した分析指示情報をもとに分析時間の異なる検査項目が重複するか否かを判断する（ステップＳ４）。タイミング制御部４２は、分析時間の異なる検査項目が重複しないと判断した場合（ステップＳ４：Ｎｏ）、空白サイクルの挿入処理を行なわない処理タイミングで測定機構２の各構成部位を制御し、空白サイクルの挿入処理を終了する。また、タイミング制御部４２は、分析時間の異なる検査項目が重複すると判断した場合（ステップＳ４：Ｙｅｓ）、緊急検体など迅速に分析が必要である検体に対して追い越し処理を実行するか否かを、入力部４３から入力される指示情報をもとに判断する（ステップＳ６）。タイミング制御部４２は、追い越し処理を実行しないと判断した場合（ステップＳ６：Ｎｏ）、空白サイクルの挿入処理を行なわない処理タイミングで測定機構２の各構成部位を制御し、空白サイクルの挿入処理を終了する。【００４０】
これに対し、タイミング制御部４２は、追い越し処理を実行すると判断した場合（ステップＳ６：Ｙｅｓ）、たとえば記憶部４５に記憶された空白サイクルの挿入タイミングの各パターンの中から、重複する検査項目に対し最も適した空白サイクルの挿入タイミングパターンを検索する（ステップＳ８）。たとえば、記憶部４５は、図２及び図４で例示した空白サイクルの挿入タイミングの各パターンとともに、重複する各検査項目の組み合わせごとに最も適した１または複数の空白サイクルの挿入タイミングパターンを対応づけたテーブルを記憶する。タイミング制御部４２は、このテーブルを参照することによって、重複する検査項目に対し最も適した空白タイミングの挿入タイミングパターンを検索してもよい。【００４１】
そして、出力部４６は、タイミング制御部４２が検索した挿入タイミングパターンを提示する（ステップＳ１０）。具体的には、出力部４６は、タイミング制御部４２が検索した挿入タイミングパターンを示すとともに、この挿入タイミングパターンを許可する許可欄とこの挿入タイミングパターンを許可しない非許可欄とを設けたメニューを表示出力する。【００４２】
そして、タイミング制御部４２は、入力部４３から入力された指示情報をもとに、出力部４６によって提示された挿入タイミングパターンでよいか否かを判断する（ステップＳ１２）。具体的には、分析装置の操作者は、このメニューを確認し、提示された挿入タイミングパターンを許可する場合には、マウスやキーボードを操作して許可欄を選択する。この場合、入力部４３から、提示された挿入タイミングパターンを許可する指示情報が入力されるため、タイミング制御部４２は、出力部４６によって提示された挿入タイミングパターンでよいと判断し（ステップＳ１２：Ｙｅｓ）、この挿入タイミングパターンを空白タイミングの挿入タイミングとして設定し（ステップＳ１４）、この挿入タイミングパターンにしたがって、空白タイミングを生成するように各構成部位を制御する。一方、分析装置の操作者は、このメニューを確認し、提示された挿入タイミングパターンを許可しない場合には、マウスやキーボードを操作して非許可欄を選択する。この場合、入力部４３から、提示された挿入タイミングパターンを許可しない指示情報が入力されるため、タイミング制御部４２は、出力部４６によって提示された挿入タイミングパターンは適しないと判断し（ステップＳ１２：Ｎｏ）、ステップＳ８に戻り、再度挿入タイミングパターンを検索する。【００４３】
このように、タイミング制御部４２は、予め求められた各第１の検体における分析時間および各第２の検体における分析時間にそれぞれ応じた空白期間の生成タイミングパターンの中から、分析を行なう第１の検体および第２の検体に対応した空白サイクルの生成タイミングパターンを選択して、該選択した空白期間の生成タイミングパターンにしたがって空白サイクルを生成してもよい。【００４４】
また、図１〜図４においては、説明の容易化のため、複数の検体Ａ１〜検体Ａ７に対して検査項目ａを行い、検体Ｂ１に対して検査項目ｂを行なう場合について説明したが、もちろんこれに限らない。たとえば、一の検体Ａに対して分析時間が長い複数の検査項目を行う場合に、検体Ａに対する各処理を追い越して検体Ｂ１の検査項目ｂに対応する処理を行なってもよい。本実施例は、迅速に結果を取得したい検査項目に対応する分析処理を、他の検査項目に対する分析処理を追い越して空白サイクル時に行なうことができるため、分析時間の異なる検査項目の分析が重複した場合に適用可能である。【００４５】
つぎに、図６を参照して、分析装置１における測定機構２について詳細に説明する。図６に示すように、測定機構２は、大別して検体移送部２１、チップ格納部２２、検体分注移送機構２３、免疫反応テーブル２４、ＢＦテーブル２５、第１試薬格納部２６、第２試薬格納部２７、第１試薬分注移送機構２８、第２試薬分注移送機構２９、酵素反応テーブル３０、測光機構３１、第１キュベット移送機構３２、第２キュベット移送機構３３および待機テーブル３４を備える。【００４６】
検体移送部２１は、検体を収容した複数の検体容器２１ａを保持し、図中の矢印方向に順次移送される複数の検体ラック２１ｂを備える。検体容器２１ａに収容された検体は、検体の提供者から採取した血液または尿などである。検体移送部２１は、緊急性がなく通常に処理される検体が移送される通常レーン２１ｃと、緊急に分析結果取得を要する救急用検体が移送される追い越しレーン２１ｄとが設けられている。【００４７】
チップ格納部２２は、複数のチップを整列したチップケースを設置しており、このケースからチップを供給される。このチップは、感染症項目測定時のキャリーオーバー防止のため、検体分注移送機構２３のノズル先端に装着され、検体分注ごとに交換されるディスポーザブルのサンプルチップである。【００４８】
検体分注移送機構２３は、検体の吸引および吐出を行うプローブが先端部に取り付けられ鉛直方向への昇降および自身の基端部を通過する鉛直線を中心軸とする回転を自在に行うアームを備える。検体分注移送機構２３は、検体移送部２１によって所定位置に移動された検体容器２１ａ内の検体をプローブによって吸引し、アームを旋回させ、ＢＦテーブル２５によって所定位置に搬送されたキュベットに分注して検体を所定タイミングでＢＦテーブル２５上のキュベット内に移送する。【００４９】
免疫反応テーブル２４は、それぞれ配置されたキュベット内で検体と分析項目に対応する所定の試薬とを反応させるための反応ラインを有する。免疫反応テーブル２４は、免疫反応テーブル２４の中心を通る鉛直線を回転軸として反応ラインごとに回動自在であり、免疫反応テーブル２４に配置されたキュベットを所定タイミングで所定位置に移送する。免疫反応テーブル２４においては、図６に示すように、前処理、前希釈用の外周ライン２４ａ、検体と固相担体試薬との免疫反応用の中周ライン２４ｂおよび検体と標識試薬との免疫反応用の内周ライン２４ｃを有する３重の反応ライン構造を形成してもよい。【００５０】
ＢＦテーブル２５は、検体または試薬における未反応物質を分離するＢＦ（ｂｏｕｎｄ−ｆｒｅｅ）分離を実施する。ＢＦテーブル２５は、ＢＦテーブル２５の中心を通る鉛直線を回転軸として反応ラインごとに回動自在であり、ＢＦテーブル２５に配置されたキュベットを所定タイミングで所定位置に移送する。ＢＦテーブル２５は、ＢＦ分離に必要な磁性粒子担体を集磁する集磁機構とＢＦ分離を実施するＢＦ洗浄ノズルと集磁された担体を分散させる攪拌機構を有する。【００５１】
第１試薬格納部２６は、ＢＦテーブル２５に配置されたキュベット内に分注される第１試薬が収容された試薬容器を複数収納できる。第２試薬格納部２７は、ＢＦテーブル２５に配置されたキュベット内に分注される第２試薬が収容された試薬容器を複数収納できる。第１試薬格納部２６および第２試薬格納部２７は、図示しない駆動機構が駆動することによって、時計回りまたは反時計回りに回動自在であり、所望の試薬容器を第１試薬分注移送機構２８または第２試薬分注移送機構２９による試薬吸引位置まで移送する。【００５２】
第１試薬分注移送機構２８は、第１試薬の吸引および吐出を行うプローブが先端部に取り付けられ鉛直方向への昇降および自身の基端部を通過する鉛直線を中心軸とする回転を自在に行うアームを備える。第１試薬分注移送機構２８は、第１試薬格納部２６によって所定位置に移動された試薬容器内の試薬をプローブによって吸引し、アームを旋回させ、ＢＦテーブル２５によって所定位置に搬送されたキュベットに分注する。第２試薬分注移送機構２９は、第１試薬分注移送機構２８と同様の構成を有し、第２試薬格納部２７によって所定位置に移動された試薬容器内の試薬をプローブによって吸引し、アームを旋回させ、ＢＦテーブル２５によって所定位置に搬送されたキュベットに分注する。【００５３】
酵素反応テーブル３０は、基質液が注入されたキュベット内において光を発生させる酵素反応を行うための反応ラインである。測光機構３１は、キュベット内の反応液から発する発光を測定する。測光機構３１は、たとえば、化学発光で生じた微弱な発光を検出する光電子倍増管を備えて、発光量を測定する。また、測光機構３１は、光学フィルターを保持し、発光強度に応じて光学フィルターにより減光された測定値によって真の発光強度を算出する。【００５４】
第１キュベット移送機構３２は、鉛直方向への昇降および自身の基端部を通過する鉛直線を中心軸とする回転を自在に行い、液体を収容したキュベットを所定タイミングで、免疫反応テーブル２４、ＢＦテーブル２５、酵素反応テーブル３０、待機テーブル３４、図示しないキュベット供給部および図示しないキュベット廃棄部の所定位置に移送するアームを備える。また、第２キュベット移送機構３３は、鉛直方向への昇降および自身の基端部を通過する鉛直線を中心軸とする回転を自在に行い、液体を収容したキュベットを所定タイミングで、酵素反応テーブル３０、測光機構３１、図示しないキュベット廃棄部の所定位置に移送するアームを備える。【００５５】
待機テーブル３４は、所定の救急用検体を処理する機構が前述した空白サイクルに達するまでの間、この所定の検体、この検体と所定の試薬、この所定の検体を収容したキュベット、または、この検体と所定の試薬との反応液を収容したキュベットを待機させる。【００５６】
つぎに、図７を参照して、検体Ａおよび検体Ｂに対する分析工程を説明する。まず、検体Ａに対する分析処理について説明する。図６および図７に示すように、第１キュベット移送機構３２によって図示しないキュベット供給部からＢＦテーブル２５の所定位置にキュベットが移送された後に第１試薬分注移送機構２８によってこのキュベット内に第１試薬である磁性粒子固相担体試薬が分注される第１試薬分注処理が行われる（ステップＳ２２）。その後、検体移送部２１によって検体Ａを収容する検体容器２１ａが移送され、チップ格納部２２から供給されたチップを装着した検体分注移送機構２３によって、この検体容器２１ａ内から、ＢＦテーブル２５上のキュベット内に検体Ａが分注される（ステップＳ２３）。そして、このキュベットは、ＢＦテーブル２５の攪拌機構によって攪拌された後（ステップＳ２５）、第１キュベット移送機構３２によって、免疫反応テーブル２４の所定位置に移送されて第１反応が行われる（ステップＳ２６）。【００５７】
そして、このキュベットは、一定の反応時間が経過した後、第１キュベット移送機構３２によってＢＦテーブル２５に移送され、ＢＦテーブル２５における集磁機構により磁性粒子担体が集磁され、ＢＦ洗浄ノズルによって第１ＢＦ洗浄が実施される（ステップＳ２７）。そして、ＢＦ分離後のキュベット内に第２試薬である標識試薬が第２試薬分注移送機構２９によって分注され（ステップＳ２８）、攪拌機構によって攪拌される。つぎに、このキュベットは、第１キュベット移送機構３２によって免疫反応テーブル２４の所定ラインに移送されて第２反応が行われる（ステップＳ２９）。そして、このキュベットは、一定の反応時間が経過した後、ＢＦテーブル２５に移送され、集磁機構によって磁性粒子担体が集磁され、ＢＦ洗浄ノズルによって第２ＢＦ洗浄が実施される（ステップＳ３０）。そして、このキュベットに、基質液が注入され（ステップＳ３１）、再度攪拌される。そして、キュベットは、第１キュベット移送機構３２によって酵素反応テーブル３０に移送され、酵素反応が行われる（ステップＳ３２）。一定の反応時間が経過した後、第２キュベット移送機構３３は、このキュベットを測光機構３１に移送し、測光機構３１は、キュベットから発せられる光を測定して、制御機構４に測定結果を出力する（ステップＳ３３）。【００５８】
これに対し、検体Ｂに対する分析処理は、検体Ａと同様に第１試薬分注処理（ステップＳ２２）および検体分注処理（ステップＳ２３）が行われた後、検体Ａと異なって第２試薬分注処理（ステップＳ２４）が行われる。検体Ｂについては、検体Ａと同様に攪拌処理（ステップＳ２５）、第１反応処理（ステップＳ２６）および第１ＢＦ洗浄処理（ステップＳ２７）が行われた後、第２試薬分注処理（ステップＳ２８）、第２反応処理（ステップＳ２９）および第２ＢＦ洗浄処理（ステップＳ３０）を削除してステップＳ３１に進み、基質注入処理（ステップＳ３１）、酵素反応処理（ステップＳ３２）および測定処理（ステップＳ３３）が行われる。【００５９】
つぎに、前述した空白サイクルを設けるための処理について、たとえば、第１試薬分注処理の処理タイミングを制御することによって空白サイクルを生成する場合を例に説明する。図２に示すタイミングで空白サイクルが設けられる場合、タイミング制御部４２は、図７の第１試薬分注処理（ステップＳ２２）の処理タイミングを遅らせることによって、検体Ａ１〜Ａ７に対する分析開始タイミングを遅らせて空白サイクルを設けている。２サイクル目の検体Ａ１に対応する第１試薬分注処理後、１サイクルずつ遅らせた４，６，８，１０，１２，１４サイクル目に検体Ａ２〜Ａ７に対応する第１試薬分注処理を行うことによって、３，５，７，９，１１，１３サイクル目に空白サイクルＢｓ１〜Ｂｓ６が設けられる。そして、分析時間の短い検体Ｂ１の測定が指示された場合、検体Ａ５〜Ａ７に対する処理を追い越して、空白サイクルＢｓ４時に検体Ｂ１に対する第１試薬分注処理が行われる。【００６０】
具体的には、たとえば図８に示すように、ＢＦテーブル２５においては、まずＰ１に検体Ａ１に対応するキュベットが配置されて第１試薬が分注される。また、Ｐ３に検体Ａ２に対応するキュベットが配置されて第１試薬が分注され、Ｐ５に検体Ａ３に対応するキュベットが配置されて第１試薬が分注され、Ｐ７に検体Ａ４に対応するキュベットが配置されて第１試薬が分注され、Ｐ９に検体Ａ５に対応するキュベットが配置されて第１試薬が分注される。この結果、Ｐ１とＰ３の間のＰ２、Ｐ３とＰ５の間のＰ４、Ｐ５とＰ７の間のＰ６にはキュベットが置かれておらず空状態になる。そして、Ｐ７とＰ９の間の空状態であるＰ８には、Ｐ９に検体Ａ５に対応するキュベットが配置される前に、検体Ｂ１に対応するキュベットが割り込んで配置されて第１試薬が分注される。つぎに、検体分注移送機構２３は、ＢＦテーブル２５の回転によって所定位置に順次移動されたＰ１、Ｐ３、Ｐ５、Ｐ７のキュベット内に検体Ａ１〜Ａ４の順で検体を分注した後、検体Ａ５の分注処理を追い越して、Ｐ８のキュベット内に検体Ｂ１の分注処理を行う。【００６１】
つぎに、図９を参照して、測定開始後における検体Ｂ１の待機および追い越しについて説明する。図９は、各サイクル時に各工程で処理される検体を説明する図である。たとえば、サイクルｎおよびサイクル（ｎ＋１）においては、図９に示すように、図７に示すステップＳ２５の攪拌処理、ステップＳ２６の第１反応処理、ステップＳ２７の第１ＢＦ洗浄処理がそれぞれ検体Ａ４，Ｂ１，Ａ５に順に行われる。その後、検体Ｂ１においては、検体Ａ４，Ａ５と異なり、ステップＳ２８〜ステップＳ３０に示す第２試薬分注処理、第２反応処理および第２ＢＦ洗浄処理を省略し、ステップＳ３１の基質注入処理が行われる。しかしながら、検体Ｂ１に対する第１ＢＦ洗浄処理が終了したサイクル（ｎ＋１）の次のサイクル（ｎ＋２）においては、検体Ａ３に対する基質注入処理（ステップＳ３１）が行われているため、検体Ｂ１に対する基質注入処理を行うことができない。【００６２】
このため、サイクル（ｎ＋２）においては、矢印Ｙｅに示すように、検体Ｂ１を待機させる待機処理が行われる。この場合、サイクル（ｎ＋２）においては、第１キュベット移送機構３２は、図１０の矢印Ｙｇに示すように、第２反応処理（ステップＳ２９）を行うために検体Ａ４が収容されたキュベットをＢＦテーブル２５のＰ１３の位置から免疫反応テーブル２４の所定位置に移送するとともに、矢印Ｙｈに示すように、検体Ｂ１が収容されているキュベットをＢＦテーブル２５のＰ１４の位置から待機テーブル３４に移送する。検体Ｂ１が収容されたキュベットは、サイクル（ｎ＋２）の間、待機テーブル３４において待機する。【００６３】
そして、サイクル（ｎ＋３）に空白サイクルが基質注入処理（ステップＳ３１）時に達した場合、図９の矢印Ｙｆに示すように、検体Ａ４を追い越して検体Ｂ１に基質注入処理が行われる。この場合、サイクル（ｎ＋３）においては、第１キュベット移送機構３２は、図１１の矢印Ｙｉに示すように待機テーブル３４からＢＦテーブル２５のＰ１１の位置に検体Ｂ１が収容されているキュベットを移送する。そして、ＢＦテーブル２５は、所定の基質注入箇所に、検体Ｂ１が収容されたキュベットを移送し、検体Ｂ１に基質注入処理を行う。なお、サイクル（ｎ＋３）においては、矢印Ｙｊに示すように、第１キュベット移送機構３２は、免疫反応テーブル２４からＢＦテーブル２５のＰ１２に検体Ａ４が収容されたキュベットを移送し、ＢＦテーブル２５は、検体Ａ４に対し第２ＢＦ洗浄処理（ステップＳ３０）を行う。【００６４】
このように、分析装置１においては、第１キュベット移送機構３２は、他の検体Ａ１〜Ａ７の処理と重複しないように、次に検体Ｂ１に処理を行う処理機構が空白サイクルの達するまでの間、待機テーブル３４に検体Ｂ１を収容したキュベットを移送して、検体Ｂ１を収容したキュベットを待機させる。そして、第１キュベット移送機構３２は、次に検体Ｂ１に処理を行う処理機構が空白サイクルの達するタイミングに合わせて、待機テーブル３４に待機する検体Ｂ１を収容したキュベットを次に検体Ｂ１に処理を行う処理機構に移送する。この結果、分析装置１においては、検体Ａ１〜Ａ７への処理を追い越して、検体Ｂ１に対する処理を迅速に行うことができる。【００６５】
また、分析装置１においては、各テーブルの回転処理を制御して、検体Ａ１〜検体Ａ７の処理を追い越して検体Ｂ１を処理してもよい。図７の基質注入処理（ステップＳ３１）において、図１２に示すＢＦテーブル２５のＰｋ位置において基質液が注入される場合を例に説明する。図１２に示すように、たとえば、ＢＦテーブル２５においては、検体Ａ３，Ａ４，Ｂ１，Ａ５の順に各キュベットが配置されている。まず、検体Ａ３を収容したキュベットが、図１２の矢印Ｙｋに示すようにＢＦテーブル２５が回転することによって、Ｐｋ位置に移送され基質が注入される基質注入処理が行われた後、第１キュベット移送機構３２によって酵素反応テーブル３０に移送される。つぎに、検体Ｂ１を収容したキュベットが、図１３の矢印Ｙｌに示すようにＢＦテーブル２５が回転することによって、Ｐｋ位置に移送されて基質注入処理が行われる。そして、検体Ｂ１を収容したキュベットは、第１キュベット移送機構３２によって酵素反応テーブル３０に移送される。その後、検体Ａ４を収容したキュベットが、図１４に示すように、Ｐｋ位置に移送されて基質注入処理が行われる。このように、タイミング制御部４２は、ＢＦテーブル２５などの各テーブルの回転処理を制御することによって、検体Ａ１〜Ａ７への処理を追い越して、検体Ｂ１に対する処理を行うことができる。【００６６】
また、分析装置１においては、検体Ａ群の間に空白サイクルを設けて矢印Ｙｍに例示する検体Ｂ１に対する追い越し処理を行うことができる図１５に示す混在モードと、空白サイクルを設けず順次処理を行う図１６に示す通常モードとのいずれかを自由に選択してもよい。分析装置１においては、通常は図１６に示す通常モードが設定されており、入力部４３から混在モードの設定指示情報が入力された場合、図１５に示す混在モードが設定され、緊急検体などの分析結果を迅速に取得可能となる。また、分析装置１が医療機関に配設されている場合、分析装置１は、この医療機関が救急受け入れ日に指定された期間では混在モードで分析処理を行い、それ以外の期間では通常モードで分析処理を行ってもよい。このように、本実施例によれば、通常モードまたは混在モードのいずれも選択可能とすることによって、さまざまな状態に対応した柔軟な測定モードを選択できる汎用性の高い分析装置を実現できる。【００６７】
また、上記実施例で説明した分析装置は、あらかじめ用意されたプログラムをパーソナル・コンピュータやワークステーションなどのコンピュータシステムで実行することによって実現することができる。このコンピュータシステムは、所定の記録媒体に記録されたプログラムを読み出して実行することで分析装置の処理動作を実現する。ここで、所定の記録媒体とは、フレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステムの内外に備えられるハードディスクドライブ（ＨＤＤ）などのように、プログラムの送信に際して短期にプログラムを保持する「通信媒体」など、コンピュータシステムによって読み取り可能なプログラムを記録する、あらゆる記録媒体を含むものである。また、このコンピュータシステムは、ネットワークを介して接続した他のコンピュータシステムからプログラムを取得し、取得したプログラムを実行することで分析装置の処理動作を実現する。
【産業上の利用可能性】
【００６８】
以上のように、本発明にかかる分析装置は、分析時間が異なる検体をそれぞれ分析する医療用分析装置に有用であり、特に、他の検体に対する分析処理が行われている場合であっても緊急に結果を得たい検体の分析処理を行なう医療用分析装置に適している。
【図１】
2008050396.tif 000003
【図２】
2008050396.tif 000004
【図３】
2008050396.tif 000005
【図４】
2008050396.tif 000006
【図５】
2008050396.tif 000007
【図６】
2008050396.tif 000008
【図７】
2008050396.tif 000009
【図８】
2008050396.tif 000010
【図９】
2008050396.tif 000011
【図１０】
2008050396.tif 000012
【図１１】
2008050396.tif 000013
【図１２】
2008050396.tif 000014
【図１３】
2008050396.tif 000015
【図１４】
2008050396.tif 000016
【図１５】
2008050396.tif 000017
【図１６】
2008050396.tif 000018
【国際調査報告】
2008050396.tif 000019
2008050396.tif 000020
2008050396.tif 000021
2008050396.tif 000022